(57)【要約】      （修正有）【課題】内側の光源によって浮き出される図柄等の美観を向上させる照明器具を提供する。【解決手段】光源を備える基部１２０と、当該光源を囲むように配置される火袋１３０とを備えた照明器具１００であって、火袋１３０は、透光性を備える素材から構成され、火袋１３０の表側と裏側のそれぞれの表面に、図柄を付したことを特徴とする。【選択図】図１
0003209787.tif 000002
【実用新案登録請求の範囲】
【請求項１】
光源を備える基部と、
当該光源を囲むように配置される火袋とを備えた照明器具であって、
前記火袋は、透光性を備える部材から構成され、
前記火袋の表側と裏側のそれぞれの表面に、図柄を付したことを特徴とする照明器具。
【請求項２】
前記火袋は、透光性を備える部材を重ねて構成したことを特徴とする請求項１に記載の照明器具。
【考案の詳細な説明】
【技術分野】
【０００１】
本考案は、光源を囲むように配置される火袋を備える照明器具に関する。
【背景技術】
【０００２】
従来から、光源を囲むように配置される火袋を備えた照明器具には、提灯や行灯など、様々な種類のものがあるが、いずれも、電球やＬＥＤ等の光源を備える基部と、当該光源を囲むように配置される火袋を備える。基部は、電球やＬＥＤ等の光源に電力を供給する電源や制御装置等を内蔵したものである。また、火袋は、内側の光源からの光を周囲に拡散させて照らすために、透光性を備える素材で出来ており、例えば、紙やプラスチック等の合成樹脂が採用されている。また、火袋の表面に付けられた図柄は、内側の光によって照らされて浮き出るようになっている。
【０００３】
ただ、従来の照明器具では、単純に、火袋の表面に図柄を付しただけなので、図柄の奥行きや立体感まで表現することが出来ず、美観に劣るものであった。
【考案の概要】
【考案が解決しようとする課題】
【０００４】
そこで、本考案は、上記問題に鑑み、内側の光源によって浮き出される図柄等の美観を向上させる照明器具を提供するものである。
【課題を解決するための手段】
【０００５】
上記課題を解決するために、本考案の照明器具は、光源を備える基部と、当該光源を囲むように配置される火袋とを備えた照明器具であって、前記火袋は、透光性を備える部材から構成され、前記火袋の表側と裏側のそれぞれの表面に、図柄を付したことを特徴とする。
【０００６】
さらに、上記課題を解決するために、本考案の照明器具は、前記火袋は、透光性を備える部材を重ねて構成したことを特徴とする。
【考案の効果】
【０００７】
上記の本考案によれば、内側の光源によって浮き出される図柄等の美観を向上させる照明器具を提供できる。
【図面の簡単な説明】
【０００８】
【図１】本考案の照明器具を示す全体斜視図である。
【図２】本考案の照明器具の光源を示す全体斜視図である。
【図３】（ａ）は、本考案の照明器具の火袋の一部である壁部の平面図、（ｂ）は、当該壁部を外側から見た側面図である。
【符号の説明】
【０００９】
１００        照明器具
１１０        基部
１２０        基部
１３０        火袋
Ｘ１          図柄
Ｘ２          図柄
【考案を実施するための形態】
【００１０】
以下に、本考案の実施の形態について、図面を用いて説明する。なお、以下の説明において参照する各図の形状は、好適な形状寸法を説明する上での概念図又は概略図であり、寸法比率等は実際の寸法比率とは必ずしも一致しない。つまり、本考案は、図面における寸法比率に限定されるものではない。
【００１１】
図１は、本考案の照明器具１００の全体斜視図である。この照明器具１００は、内部に光源１１０（図２を参照）を備える基部１２０と、当該基部１２０を囲むように配置され、図柄が付された火袋１３０とからなる。また、基部１２０には電源コード（不図示）が接続されており、この電源コードの先端のプラグを家庭用コンセント等に接続すれば、電力が供給されて、基部１２０が点灯する。
【００１２】
また、火袋１３０は、板状の部材である壁部１３１、壁部１３２、壁部１３３及び壁部１３４によって、中空の略四角柱状に形成されたもので、上端は開口している。詳しくは後述するが、火袋１３０の各壁部は、透光性を備える板材を重ねて構成したものであり、当該壁部の表側と裏側のそれぞれの表面には、図柄が付されている。なお、火袋１３０の形状は略四角柱状に限定されるものではく、略円柱状、略四角錐状等の任意の形状とすることができる。
【００１３】
そして、火袋１３０は、透光性（光を通す性質）を備える部材から構成されているので、火袋１３０の内部で点灯している光源１１０の光が、火袋１３０を介して周囲に拡散され、照明器具１００の周辺の空間が柔らかい光で照らされる。また、火袋１３０に付された図柄が、光源１１０の光によって照らされて浮き出るようになっている。
【００１４】
次に、図２を参照して、光源１１０の構成について詳しく説明する。光源１１０は、基部１２０と、当該基部１２０に固定された発光部１１１と、当該発光部１１１を囲むように取り付けられた筒部１１２からなる。発光部１１１は、従来から知られている電球やＬＥＤ等の発光体であり、基部１２０から電力が供給されて発光している。また、筒部１１２は上端が開口しており、当該開口には羽根車１１３が取り付けられている。
【００１５】
さらに、筒部１１２は、羽根車１１３の中心の軸部１１４によって、基部１２０に対して回転可能に軸支されている。そして、発光部１１１から発生した熱によって、筒部１１２内に上昇気流が生じ、当該上昇気流が羽根車１１３を回転させる。すると、羽根車１１３が取り付けられた筒部１１２は、軸部１１４を中心に回転することになる。なお、筒部１１２は、発光部１１１の光を周囲に拡散させるために、透光性の材料によって構成されている。
【００１６】
また、筒部１１２の表面には、着色された透光性を備える材料Ｙを貼り付けることもできる。そして、当該材料Ｙを貼り付けることにより、光源１１０から外部に拡散される光に、色彩が生じる。なお、光源１１０は、本実施例のような態様に限定されず、光を照射できるものであれば、どのような態様のものであってもよい。
【００１７】
では次に、図３を参照して、火袋１３０の構成について詳しく説明する。なお、図３では、火袋１３０の壁部１３１についてのみ説明するが、図１に示す壁部１３２、壁部１３３、及び壁部１３４も、壁部１３１と同じ構成である。
【００１８】
まず、図３（ａ）に示すように、壁部１３１は、透光性を備える板状の部材１３５及び部材１３６を重ねて構成したものである。この部材１３５及び部材１３６は透光性を備える材料から構成されており、それぞれの表面には、図柄Ｘ１及び図柄Ｘ２が付されている。なお、図柄Ｘ１が付された側は、火袋１３０の壁部１３１の裏側であり、図柄Ｘ２が付された側は、火袋１３０の壁部１３１の表側である。
【００１９】
そして、壁部１３１の内側の光源１１０から光Ｕが放射されると、その光Ｕは壁部１３１を通過する際に、図柄Ｘ１及び図柄Ｘ２を照らして浮き立たせる。そのため、照明器具１００の使用者は、図３（ｂ）に示すような図柄を見ることになる。そして、図柄Ｘ１は、壁部１３１の内側（裏側）に存在するため、図３（ｂ）に示すように、淡くぼやけたように見える。これは、図柄Ｘ１周辺を通過した光Ｕが部材１３５及び部材１３６を介して外部へと通過する際に、部材１３５及び部材１３６の内部で、あらゆる方向に拡散しながら、使用者の目に届くからである。
【００２０】
一方、図柄Ｘ２は、壁部１３１の外側（表側）に存在するため、図柄Ｘ１よりもはっきりと見える。これは、図柄Ｘ２周辺を通過した光Ｕは、他の部材に遮られることなく、そのまま使用者の目に届くからである。
【００２１】
このように、使用者には、図柄Ｘ１が少し淡く見え、図柄Ｘ２が図柄Ｘ１に比べてはっきりと見える。そのため、使用者には、図柄Ｘ１が遠くに存在し、図柄Ｘ２が近くに存在しているかのような錯覚を与えることができ、奥行きや立体感を感じさせることから、従来と比較して照明器具１００の美観に優れるのである。
【００２２】
また、図３では、火袋１３０は部材１３５及び部材１３６を重ね合わせて構成されていたが、火袋１３０は、透光性を備える一枚の材料から構成されてもよい。その場合は、火袋１３０の表側と裏側のそれぞれの表面に、図柄Ｘ１及び図柄Ｘ２を付す。すると、図３（ｂ）で説明したのと同様に、使用者には、図柄Ｘ１が少し淡く見え、図柄Ｘ２が図柄Ｘ１に比べてはっきりと見える。そのため、使用者には、図柄Ｘ１が遠くに存在し、図柄Ｘ２が近くに存在しているかのような錯覚効果を与えることができる。
【００２３】
ただ、火袋１３０は、部材１３５及び部材１３６を重ね合わせて構成した方が、図柄Ｘ１周辺を通過した光Ｕは、壁部１３１の内部（すなわち、部材１３５及び部材１３６）でより効果的に拡散されるため、図柄Ｘ１がより淡く見える。その結果、上記錯覚効果をより一層発揮することができるのである。
【００２４】
なお、部材１３５及び部材１３６は、透光性を備えるポリプロピレン等の樹脂から構成されているが、これに限定されず、透光性を備える素材であれば、その他の合成樹脂、和紙、合成紙等の様々な素材を採用することができる。
【００２５】
また、本実施例では、照明器具として行灯を採用したが、これに限定されることなく、例えば提灯など、光源を囲むように配置された火袋を備える照明器具であれば、適宜採用することができる。
【００２６】
なお、本考案の提灯は、上記の実施例に限定されず、実用新案登録請求の範囲に記載された範囲、実施形態の範囲で、種々の変形例、組み合わせが可能であり、これらの変形例、組み合わせも本考案の範囲に含むものである。
【図１】
0003209787.tif 000003
【図２】
0003209787.tif 000004
【図３】
0003209787.tif 000005